(57)【要約】  この発明において、酸素センサは、内燃機関の排気経路に配置される起電力式の酸素センサの大気極と排気極との間に、一方向の電圧を印加する活性化処理が施されたものである。大気極をプラスとして電圧が印加された酸素センサを制御する制御装置は、例えば、内燃機関の空燃比が、理論空燃比に対してリッチとされる環境下で使用された場合には、更に、酸素センサ２の使用中に、大気極と排気極との間に、大気極をプラスとし排気極をマイナスとする一方向の電圧を印加する。逆に、大気極をマイナス、排気極をプラスとする電圧が印加された酸素センサを制御する制御装置は、例えば、空燃比が理論空燃比に対してリーンとされる環境下で使用された場合には、酸素センサ２の使用中に、大気極と排気極との間に大気極をマイナスとし排気極をプラスとする一方向の電圧を印加する。
2012086079.tif 000002
【特許請求の範囲】
【請求項１】
内燃機関の排気経路に配置される起電力式の酸素センサであって、
固体電解質と、
前記固体電解質の一面側に配置され、かつ、前記排気経路に設置された場合に大気に接する大気極と、
前記固体電解質の前記一面とは反対側の面に配置され、かつ、前記排気経路に設置された場合に排気ガスに接する排気極と、を備え、
前記大気極と前記排気極との間に一方向の電圧を印加する活性化処理が施されたことを特徴とする酸素センサ。
【請求項２】
前記一方向の電圧は、前記大気極をプラスとし前記排気極をマイナスとする方向であることを特徴とする請求項１に記載の酸素センサ。
【請求項３】
前記一方向の電圧は、前記大気極をマイナスとし、前記排気極をプラスとする方向であることを特徴とする請求項１に記載の酸素センサ。
【請求項４】
前記一方向の電圧は、前記固体電解質がブラックニングを起こさない範囲の電圧とされることを特徴とする請求項１から３のいずれか１項記載の酸素センサ。
【請求項５】
内燃機関の排気経路に配置された請求項２記載の酸素センサを制御する制御装置であって、
前記内燃機関の所定の運転期間中において、空燃比が、理論空燃比に対してリッチとされていた時間であるリッチ運転継続時間を検出するリッチ運転継続時間検出手段と、
前記リッチ運転継続時間に応じて、電圧印加時間を設定する電圧印加時間設定手段と、
前記電圧印加時間に応じて、前記大気極と前記排気極との間に、前記大気極をプラスとし、前記排気極をマイナスとする一方向の電圧を印加する電圧印加制御手段と、
を備えることを特徴とする酸素センサの制御装置。
【請求項６】
内燃機関の排気経路に配置された請求項３記載の酸素センサを制御する制御装置であって、
前記内燃機関の所定の運転期間中において、空燃比が、理論空燃比に対してリーンとされていた時間であるリーン運転継続時間を検出するリーン運転継続時間検出手段と、
前記リーン運転継続時間に応じて、電圧印加時間を設定する電圧印加時間設定手段と、
前記電圧印加時間に応じて、前記大気極と前記排気極との間に、前記大気極をマイナスとし、前記排気極をプラスとする一方向の電圧を印加する電圧印加制御手段と、
を備えることを特徴とする酸素センサの制御装置。
【請求項７】
内燃機関の排気経路に配置された請求項２記載の酸素センサを制御する制御装置であって、
前記内燃機関の運転状態が、所定の高速・高負荷運転域であり、かつ、空燃比がリッチ増量域である、リッチ運転状態を検出するリッチ運転状態検出手段と、
前記リッチ運転状態が検出された場合に、前記大気極と前記排気極との間に、前記大気極をプラスとし、前記排気極をマイナスとする一方向の電圧を印加する電圧印加制御手段と、
を備えることを特徴とする酸素センサの制御装置。
【請求項８】
内燃機関の排気経路に配置された請求項３記載の酸素センサを制御する制御装置であって、
前記酸素センサが配置された内燃機関の運転状態が、燃料カット運転状態であることを検出する燃料カット運転検出手段と、
前記燃料カット運転状態であることが検出された場合に、前記大気極と前記排気極との間に、前記大気極をマイナスとし、前記排気極をプラスとする一方向の電圧を印加する電圧印加制御手段と、
を備えることを特徴とする酸素センサの制御装置。
【請求項９】
前記一方向の電圧は、前記固体電解質がブラックニングを起こさない範囲の電圧とされることを特徴とする請求項５から８のいずれか１項記載の酸素センサの制御装置。
【請求項１０】
前記酸素センサの素子抵抗を検出又は推定する素子抵抗検出手段を、更に備え、
前記電圧印加制御手段は、
前記素子抵抗に応じて、前記一方向の電圧の大きさ又は前記一方向の電圧の印加時間を制御することを特徴とする請求項５から９のいずれか１項記載の酸素センサの制御装置。
【発明の詳細な説明】
【技術分野】
【０００１】
この発明は酸素センサ及び酸素センサの制御装置に関する。より具体的には、酸素センサ及びこれを活性処理する酸素センサの制御装置に関するものである。
【背景技術】
【０００２】
従来、車両の排気経路に搭載される触媒の下流に、酸素センサを配置して、触媒下流の排気ガス空燃比の変化を検出し、空燃比フィードバック制御や触媒の酸素吸蔵能力評価に利用する手法が知られている。このように触媒下流に配置される酸素センサは、触媒により浄化された低濃度の排気ガスを検出対象とする。従って、低濃度のガスの空燃比変化を、高い感度で検出できることが望まれている。【０００３】
例えば、特許文献１には、限界電流式のセンサの低濃度域のガスに対する感度を向上させる手法が開示されている。特許文献１の技術では、検出対象ガスが低濃度域である場合、センサの電極に、通常の測定時に印加される電圧の極性を逆にした電圧を印加して、電流値を検出する。特許文献１の発明によれば、これにより低濃度域のガスの濃度を高い感度で検出できるとしている。
【先行技術文献】
【特許文献】
【０００４】
【特許文献１】特開昭６２−２３１１５６号公報
【特許文献２】特開平０６−２６５５２２号公報
【発明の概要】
【発明が解決しようとする課題】
【０００５】
ところで、車両の触媒下流に配置されるセンサには、比較的安価な、起電力式の酸素センサが用いられる。起電力式の酸素センサは、一対の電極間の酸素濃度の差によって生じる起電力を出力とし、排気ガスが理論空燃比に対してリッチであるかリーンであるかに応じてその出力が大きく急変するセンサである。【０００６】
これに対し、上記特許文献１のセンサの感度向上手法は、限界電流式のセンサに適用されるものである。即ち、特許文献１のセンサは、ガスの濃度検出時には正方向又は逆方向いずれかの電圧が印加されるものであり、電圧印加時のセンサの電流値を出力とする。従って、上記特許文献１におけるセンサの感度向上の手法は、起電力式の酸素センサに適用し得るものではない。【０００７】
また、排気ガス中のリーン成分であるＮＯｘは、センサの電極での反応性が低く、出力応答感度性が低い。一方、リッチガス成分であるＨ２、ＣＨ４、ＣＯのうち、Ｈ２やＣＨ４はリーン成分（Ｏ２、ＮＯｘ）よりも拡散速度が速く、ＣＯはセンサの電極上での吸着性が高い。このため酸素センサはリッチ出力をだしやすく、リーン感度が低くなりやすい傾向がある。このため酸素センサの出力に感度差による偏りが生じる場合がある。このような酸素センサの偏りは、空燃比制御向上の観点からは好ましいものではない。この点、上記特許文献１のセンサ感度向上手法は、低濃度ガスに対する感度向上を図るものであるが、リッチガス、リーンガスに対する感度の違いを改善するものではない。【０００８】
この発明は上記課題を解決することを目的とし、起電力式の酸素センサのリッチガス、リーンガスに対する感度の偏りを抑制し、酸素センサの感度を向上させることができるよう改良した酸素センサの制御装置を提供するものである。
【課題を解決するための手段】
【０００９】
この発明の酸素センサは、内燃機関の排気経路に配置される起電力式の酸素センサである。この酸素センサは、固体電解質と、固体電解質の一面側に配置された大気極と、一面とは反対側の面に配置された排気極とを備える。大気極は、酸素センサが排気経路に設置された場合に大気に接し、排気極は、酸素センサが排気経路に設置された場合に排気ガスに接する電極となる。そして、この発明の酸素センサは、大気極と排気極との間に一方向の電圧を印加する活性化処理が施されたものである。【００１０】
活性化処理における一方向の電圧は、大気極をプラスとし排気極をマイナスとする方向か、又は、大気極をマイナスとし排気極をプラスとする方向である。また、一方向の電圧は、固体電解質がブラックニングを起こさない範囲の電圧とされることが好ましい。【００１１】
また、この発明における酸素センサの制御装置は、上記の酸素センサを制御する制御装置である。例えば、大気極をプラス、排気極をマイナスとする方向の電圧を印加する活性化処理が施された酸素センサを制御する制御装置において、リッチ運転継続時間検出手段は、内燃機関の所定の運転期間中において、空燃比が、理論空燃比に対してリッチとされていた時間であるリッチ運転継続時間を検出する。電圧印加時間設定手段は、検出されたリッチ運転継続時間に応じて、電圧印加時間を設定する。その後、電圧印加制御手段は、電圧印加時間に応じて、大気極と排気極との間に、大気極をプラスとし、排気極をマイナスとする一方向の電圧を印加する。【００１２】
また、例えば、大気極をマイナス、排気極をプラスとする方向の電圧を印加する活性化処理が施された酸素センサを制御する制御装置において、リーン運転継続時間検出手段は、内燃機関の所定の運転期間中において、空燃比が、理論空燃比に対してリーンとされていた時間であるリーン運転継続時間を検出する。電圧印加時間設定手段は、検出されたリーン運転継続時間に応じて、電圧印加時間を設定する。その後、電圧印加制御手段は、電圧印加時間に応じて、大気極と排気極との間に、大気極をマイナスとし、排気極をプラスとする一方向の電圧を印加する。【００１３】
また、例えば、大気極をプラス、排気極をマイナスとする方向の電圧を印加する活性化処理が施された酸素センサを制御する制御装置において、リッチ運転状態検出手段は、内燃機関の運転状態が、所定の高速・高負荷運転域であり、かつ、空燃比がリッチ増量域である、リッチ運転状態を検出する。その後、リッチ運転状態が検出された場合に、電圧印加手段は、大気極と排気極との間に、前記大気極をプラスとし、排気極をマイナスとする一方向の電圧を印加する。【００１４】
また、例えば、活性化処理において大気極をマイナス、排気極をプラスとする方向の電圧が印加された酸素センサを制御する制御装置において、燃料カット運転検出手段は、酸素センサが配置された内燃機関の運転状態が、燃料カット運転状態であることを検出する。そして、燃料カット運転状態であることが検出された場合に、電圧印加手段により、大気極と排気極との間に、大気極をマイナスとし、排気極をプラスとする一方向の電圧が印加される。【００１５】
これらの制御装置が制御する酸素センサにおいても、活性化処理における一方向の電圧は、固体電解質がブラックニングを起こさない範囲の電圧であることが好ましい。【００１６】
また、この発明における酸素センサの制御装置は、例えば、酸素センサの素子抵抗を検出又は推定する素子抵抗検出手段を更に備えるものとしてもよい。この場合、電圧印加手段は、素子抵抗に応じて、一方向の電圧の大きさ又は一方向の電圧の印加時間を制御するものとすることができる。
【発明の効果】
【００１７】
酸素センサの大気極と排気極との間に一方向の電圧を印加したものとすることにより、酸素センサを、初期状態において、酸素センサのリーンガスに対する感度と、リッチガスに対する感度との差が抑えられたものとすることができる。これにより、酸素センサの感度差による出力ばらつきを抑制することができる。【００１８】
また、活性化処理において、酸素センサの大気極と排気極との間に印加される電圧を、大気極をプラスとし排気極をマイナスとする方向とした場合、この活性化処理により、排気極側から大気極側に酸素イオンを移動させることができる。これにより、酸素センサの大気極から排気極側への酸素イオンの移動がしやすい状態とすることできる。従って、酸素センサのリーンガスに対する感度を向上させることができる。【００１９】
また、活性化処理において、酸素センサの大気極と排気極との間に印加される電圧を、大気極をマイナスとし排気極をプラスとする方向とした場合、この活性化処理の結果、大気極側から排気極側に酸素イオンを移動させることができる。これにより、酸素イオンを排気極側に偏らせることができ、酸素センサのリッチガスに対する感度が抑制されることとなる。【００２０】
また、一方向の電圧を、固体電解質がブラックニングを起こさない範囲の電圧とすることにより、電圧印加による固体電解質の性能を劣化させることなく、感度ばらつきを抑えた酸素センサを得ることができる。【００２１】
また、予め大気極をプラスとする方向の電圧が印加された起電力式の酸素センサの制御装置において、例えば、リッチ運転継続時間に応じた電圧印加時間、大気極をプラスとし排気極をマイナスとする一方向の電圧を印加する制御が行なわれる。これにより、リーン感度向上の効果が緩和しやすいリッチ雰囲気が継続された場合にも、酸素センサのリーン感度向上のための処理の効果を高く維持することができる。従って、酸素センサのばらつき抑制の効果を長期的に維持することができる。【００２２】
また、予め大気極をマイナスとする方向の電圧が印加された起電力式の酸素センサの制御装置において、例えば、内燃機関のリーン運転継続時間に応じて電圧印加時間が設定され、大気極をマイナスとし排気極をプラスとする一方向の電圧が印加される制御が行なわれる。これによりリッチ感度抑制の効果が緩和しやすいリーン雰囲気が継続された場合にも、酸素センサのリッチ感度抑制のための処理の効果を高く維持することができる。従って、酸素センサのばらつき抑制の効果を長期的に維持することができる。【００２３】
また、予め大気極をプラスとする方向の電圧が印加された起電力式の酸素センサの制御装置において、例えば、内燃機関の運転状態が所定のリッチ運転状態である場合に大気極をプラスとし排気極をマイナスとする一方向の電圧が印加される制御が行なわれる。これによりリーン感度向上の効果が緩和しやすい運転環境下においても、リーン感度の向上を図ることができる。従って、酸素センサのばらつき抑制の効果を長期的に維持することができる。【００２４】
また、予め大気極をマイナスとする方向の電圧が印加された起電力式の酸素センサの制御装置において、例えば、内燃機関の運転状態が燃料カット運転状態である場合に、大気極をマイナスとし排気極をプラスとする一方向の電圧が印加される制御が行なわれる。これによりリッチ感度抑制の効果が緩和しやすいリーン運転環境下においても、リッチ感度抑制を図ることができる。従って、酸素センサのばらつき抑制の効果を長期的に維持することができる。【００２５】
ところで、酸素センサの経年劣化等により素子抵抗が増加すると、同じ電圧を印加しても電極間に流れる電流量は低下する。従って、素子抵抗が増加した場合には、同一の電圧を印加しても、上記のリーン感度向上やリッチ感度抑制の効果が十分に得られないことが考えられる。この点、一方向の電圧印加における電圧の大きさ又は印加時間が、素子抵抗に応じて制御される場合、経年劣化等により素子抵抗が増加した場合などにおいても、必定な電流を電極間に流すことができる。従って、リーン感度向上やリッチ感度抑制の効果を十分に得ることができる。
【図面の簡単な説明】
【００２６】
【図１】この発明の実施の形態１における酸素センサについて説明するための模式図である。
【図２】この発明の実施の形態１において印加される交番電圧について説明するための図である。
【図３】この発明の実施の形態１において印加される片方向の電圧について説明するための図である。
【図４】この発明の実施の形態２において制御装置が実行する制御のルーチンについて説明するための図である。
【発明を実施するための形態】
【００２７】
以下、図面を参照して本発明の実施の形態について説明する。なお、各図において、同一または相当する部分には同一符号を付してその説明を簡略化ないし省略する。
【００２８】
実施の形態１．
図１は、この発明の実施の形態１における酸素センサについて説明するための模式図である。図１の酸素センサ２は、例えば、内燃機関の排気経路の触媒下流に設置され、排気ガスの空燃比の変化の検出に用いられるものである。
【００２９】
図１の酸素センサ２は、ジルコニア等からなる固体電解質膜４と、固体電解質膜４を挟んで配置された、白金等からなる一対の電極である大気極６と排気極８とを備えている。酸素センサ２には外部の大気が流入する大気室（図示せず）が設けられており、大気極６は、固体電解質膜４と接する面とは反対側において、大気室の大気に接する構成となっている。また、酸素センサ２は、複数の通気孔を有するケース（図示せず）に収納された状態で内燃機関の排気経路に設置される。酸素センサ２の排気極８は、複数の通気孔からケース内に流入した排気ガスに接する構成となっている。
【００３０】
上述したように酸素センサ２は、例えば、内燃機関の排気経路に設置された触媒の下流に配置される。酸素センサ２には、両極６、８が接するガスの酸素濃度の差に応じて起電力が生じ、この起電力は理論空燃比に対しリッチであるかリーンであるかによって急変する。従って酸素センサ２に生じる起電力を検出することで、触媒下流の排気ガスが、理論空燃比に対してリッチとなっているかあるいはリーンとなっているかを検出することができる。
【００３１】
ところで、酸素センサ２に用いられる電極の触媒に対してリーンガス成分であるＮＯｘは反応性（剥離吸着性）が低い。このため、リーンガスに対する酸素センサ２の出力感度応答性は低くなっている。一方、リッチガス成分のＨ２、ＣＨ４、ＣＯのうち、Ｈ２やＣＨ４はリーンガス成分（ＮＯｘ、Ｏ２）に比べて拡散速度が速く、またＣＯは電極吸着性が高い。このため酸素センサ２は、リッチガスに対する感度が高くなっている。即ち、酸素センサ２は、リッチ出力を出しやすく、リーン出力感度が低いといった偏りを有している。
【００３２】
酸素センサ２は触媒下流の浄化された排気ガス中に設置されるため、酸素センサ２の検出対象の排気ガスはごく低濃度のものとなる。このような低濃度環境下で、排気ガスがリッチあるいはリーンに変化した場合、その出力感度の差は大きく現れやすく、感度差により酸素センサ２の出力に大きなばらつきが生じやすい。このような感度のばらつきを抑えるため、この発明の実施の形態１では、酸素センサ２の初期段階（出荷時等、酸素センサ２の未使用状態）において、酸素センサ２に下記の処理を施す。
【００３３】
図２、図３は以下の各処理において、電極６、８間に印加される電圧について説明するための図である。
【００３４】
［交番電圧の印加］
酸素センサの電極界面の安定化を図るため、まず、電極６、８間に、図２に示すように交番電圧が印加される。これにより電極への吸着物やコンタミ等が除去される。ここで交番電圧は、同じ大きさで極性が異なる電圧を、同一時間、一度印加するか、図２の破線に示すように、複数回繰り返し印加する。ただし、プラス側とマイナス側とで、電圧の大きさとその印加時間は、同一となるようにする。
【００３５】
ここで、印加させる電圧が大きくなると、固体電解質膜４のジルコニアから酸素が放出され、その構造組織が破壊され脆化する、いわゆるブラックニングが発生する。従って、交番電圧印加における電圧の大きさは、ブラックニングが発生しない程度とする。交番電圧印加における電圧の大きさ及び通電時間、通電回数は、ブラックニングの発生を抑制しつつ、酸素センサ２の安定化を図るために最適な値に設定される。これらは予め実験等により求め、制御装置に記憶しておく。
【００３６】
また、交番電圧の印加時、素子温は５００℃〜９００℃とする。これは酸素センサ２が内燃機関に設置されて実際に使用される温度範囲であり、酸素センサ２の使用クライテリア内の温度である。
【００３７】
この実施の形態１では、酸素センサ２の初期の段階で、上記交番電圧の印加を行い、更に、以下のリーン感度向上のための処理及びリッチ感度抑制のための処理のいずれか一方の活性化処理が施される。
【００３８】
［感度ばらつき抑制のための片方向の電圧印加］
（イ）リーン感度向上のための処理
上記のように酸素センサ２は、リーンガス成分に対する出力感度応答性が低い。従って、酸素センサ２が使用される環境において、高い感度でリーン成分を検出することが要求される場合には、酸素センサ２の初期段階で、予め、図３に示すように、酸素センサ２の電極６、８間に、大気極６をプラス、排気極８をマイナスとする電圧を印加する。
【００３９】
これにより、大気極６側に多くの酸素イオン（Ｏ２−）が移動する。この結果、大気極６から排気極８への酸素イオンの移動が、逆の場合に比べて起こりやすい状態とすることができる。従って、酸素センサ２のリーンガスに対する感度を向上させることができる。
【００４０】
（ロ）リッチ感度抑制のための処理
一方、酸素センサ２は、リッチガスに対する感度が高く応答性が早い。従って、酸素センサ２の使用される環境を考慮し、リッチ成分に対する感度を抑制することで、酸素センサ２の感度の偏りを抑制することが望まれる場合には、酸素センサ２の電極６、８間に、大気極６をマイナス、排気極８をプラスとする電圧を印加する。
【００４１】
この結果、図１に示すように、大気極６側から排気極８側に酸素イオン（Ｏ２−）が移動した状態となる。この処理により、酸素イオンが排気極８側に偏った状態となる。これにより、リッチガスに対する感度がある程度抑制され、酸素センサ２の感度の偏りが解消される。
【００４２】
なお、上記の片方向の電圧印加（イ）及び（ロ）は、いずれも下記の条件（ハ）〜（へ）を満たすものとする。
（ハ）印加する電圧の大きさは、ブラックニングが生じない程度とする。
（ニ）（イ）又は（ロ）の電圧は、上記の交番電圧より小さいものとする。
（ホ）（イ）又は（ロ）の電圧の絶対値×電圧印加時間は、交番電圧のプラス側又はマイナス側の電圧の絶対値×プラス側又はマイナス側の電圧印加時間よりも大きくなるように設定される。
（へ）電圧印加時の素子温は５００℃〜９００℃とする。
【００４３】
交番電圧印加は、電極の構造変化による電極の安定化を図るものである。にもかかわらず、この後に行なわれる感度ばらつき抑制処理のための片方向の電圧印加で、交番電圧より大きな電圧が印加されると、更なる電極構造変化等が生じ、交番電圧印加による電極安定化の効果が得られなくなることが考えられる。従って、感度ばらつき抑制処理における片方向の通電は、交番電圧より小さな電圧とする。
【００４４】
また、感度ばらつき抑制処理では、固体電解質膜４中の電荷の移動を、ある方向に極力馴染ませること（電極６又は８と、固体電解質膜４との界面の馴染み）を目的としている。このため、感度ばらつき抑制処理のための片方向の通電では、ある程度時間を確保する必要があるため、低電圧で比較的長い時間電圧印加を行なうこととする。
【００４５】
以上説明したように、この実施の形態１の酸素センサ２には、リーン感度向上のための処理又は、リッチ感度抑制のための処理のいずれかが、酸素センサ２が使用される環境に応じて施される。これにより、酸素センサ２の感度の偏りを抑え、酸素センサ２の出力のばらつきを抑制することができる。従って、より高精度で安定して排気ガスの空燃比の変化を検知することができる。
【００４６】
例えば、低貴金属触媒を用いた触媒のように、触媒のＯＳＣ（酸素吸蔵能）が低い場合には、空燃比制御性の向上のため、より高い感度で高精度に空燃比を検出する必要がある。この点、上記のような酸素センサ２の制御により、酸素センサの感度のばらつきを抑制する処理が有効である。
【００４７】
なお、上述の実施の形態１では、交番電圧印加の後に、リッチ感度向上又はリーン感度抑制のための片方向の通電を行なう場合について説明した。これにより、酸素センサ２の特性のより長期的な安定性向上、及び、長期的なばらつきの低減を図ることができる。しかし、この発明において酸素センサはこれに限られるものではなく、交番電圧の印加を行なわずに、片方向の通電のみを行なったものでもよい。
【００４８】
また、図１に示した酸素センサ２の構成は、酸素センサ２の一例を示すものである。この発明は、図１に示す酸素センサ２に限らず、起電力式の他の酸素センサに適用することができる。
【００４９】
実施の形態２．
酸素センサ２中の酸素イオンの移動しやすさ、電荷の偏りは、酸素センサ２の使用環境により異なると考えられる。従って、実施の形態１における片方向の電圧印加による感度ばらつき抑制の効果は、使用環境により異なるものと考えられる。このため、実施の形態２では、内燃機関の停止時に、前回停止から今回停止までの運転状態に応じて、感度ばらつき抑制のため処理を実行し、酸素センサ２の活性効果維持を図る。
【００５０】
具体的に、（イ）のリーン感度向上のための処理が施された酸素センサ２を用いる場合、排気ガス空燃比がリッチ雰囲気となると、リーン感度向上のための処理の効果が緩和する傾向にある。従って、（イ）のリーン感度向上のための処理が施された酸素センサ２を用いる場合、酸素センサ２の使用環境下では次の制御を実行する。
【００５１】
前回内燃機関始動から今回内燃機関が停止するまでの運転環境において、空燃比がリッチ傾向にあった場合、上記（イ）と同様に、リーン感度向上のための片方向の電圧印加を行なう。つまり、大気極６をプラスとし、排気極８をマイナス極として所定の大きさで電圧を印加する。但し、このときの電圧の大きさは、上記（イ）の初期処理において印加される電圧よりも小さな電圧とする。
【００５２】
電圧印加の時間は、前回の運転条件において、空燃比をリッチとする運転を継続した時間（リッチ運転継続時間）に応じたものとする。具体的には、リッチ運転継続時間が長い場合ほど電圧印加時間が長くなるように設定する。
【００５３】
なお、リッチ運転継続時間に応じた電圧印加時間の最適な関係は、予め実験等により求められる。この関係はマップとして制御装置に記憶され、実際の制御においては、各継続時間に応じて電圧印加時間が設定される。
【００５４】
図４は、この発明の実施の形態２において制御装置が実行する制御のルーチンについて説明するためのフローチャートである。具体的に、図４のルーチンでは、まず、内燃機関の停止指令が検出されたか否かが判別される（Ｓ１０２）。内燃機関の停止が認められない場合、今回の処理は終了する。
【００５５】
ステップＳ１０２において、内燃機関の停止指令が認められると、次に、前回の内燃機関を始動してから今回停止までの内燃機関の運転期間中の、リッチ運転継続時間が検出される（Ｓ１０４）。ここで、リッチ運転継続時間は、この運転期間中において、空燃比制御において求められる酸素過剰率λが１より小さい時間の積算値であり、制御装置において求められる。
【００５６】
次に、リッチ運転継続時間に応じた電圧印加時間が設定される（Ｓ１０６）。電圧印加時間とリッチ運転継続時間との関係は、予め制御装置に記憶されたマップに従って求められる。
【００５７】
次に、大気極６をプラス、排気極８をマイナスとする所定の電圧が印加される（Ｓ１０８）。このときの電圧印加時間は、ステップＳ１０６で設定された電圧印加時間とされ、電圧印加の他の条件は、上記（ハ）〜（へ）の条件を満たす範囲で予め定められ制御装置に記憶されている。この片方向の電圧印加により、リーンガスに対する感度を向上させることができる。その後、今回の処理が終了する。
【００５８】
以上説明したように、実施の形態２によれば、酸素センサ２の使用環境がリッチ傾向にある場合にも、リーン感度向上のための初期処理の効果を適切に維持することができる。従って、排気ガスの各成分の感度差によって生じる酸素センサ２のばらつきを抑えることができ、より高い精度での空燃比制御を実現することができる。
【００５９】
［実施の形態２の他の例］
なお、実施の形態２では、上記（イ）の初期処理が施され酸素センサ２を用いる場合の、使用環境における制御について説明したが、上記（ロ）の初期処理が施された酸素センサ２についても、同様にして、初期処理のリッチ感度抑制の効果維持を図ることができる。
【００６０】
つまり、排気ガス空燃比がリーン雰囲気となると、（ロ）の初期処理、即ち、酸素センサ２のリッチ感度抑制のための処理の効果が緩和する傾向にある。従って、（ロ）の初期処理が施された酸素センサ２が用いられる場合、酸素センサ２の使用環境下では、（イ）の場合と同様に、次の制御を実行する。
【００６１】
前回内燃機関始動から今回内燃機関が停止するまでの運転環境下において、空燃比がリーン傾向にあった場合に、大気極６をマイナスとし、排気極８をプラスとして所定の大きさで電圧を印加する。このときの電圧は（ロ）の初期処理における電圧よりも小さなものとされる。
【００６２】
電圧印加時間は、前回の内燃機関の運転条件において、空燃比をリーンとする運転を継続した時間（リーン運転継続時間）に応じたものとする。具体的には、リーン運転継続時間が長い場合ほど、電圧印加時間が長くなるように設定する。
【００６３】
具体的な制御は、図４のルーチンのステップＳ１０６の電圧印加時間をリーン運転継続運転に応じたものとし、Ｓ１０８の電圧印加の方向を、大気極６側をマイナスとすることで、同様にして実行することができる。
【００６４】
なお、実施の形態２では、リッチ運転継続時間又はリーン運転継続時間に応じて、片方向の電圧の印加時間を設定する場合について説明した。しかし、この発明はこれに限られるものではない。電圧印加時間は、例えば、運転期間中におけるリッチ量（又はリーン量）とリッチ運転時間（又はリーン運転継続時間）との積算値に応じて決定されるものであってもよい。
【００６５】
また実施の形態２では、感度ばらつき抑制処理のための片方向の電圧印加のみを行なう場合について説明した。しかし、この発明においては、これに限るものではなく、実施の形態１に説明した初期処理と同様に、感度ばらつき抑制処理の前に、所定時間の交番電圧の印加を行なうもののであってもよい。これにより、更に長期的に酸素センサ２の特性の安定を図ることができる。
【００６６】
また実施の形態２では、内燃機関の停止直後の状態で、感度ばらつき抑制処理のための電圧印加を実行する場合について説明した。しかし、この発明において、酸素センサ２の使用環境下での電圧印加のタイミングはこれに限られるものではない。例えば、この発明において、片方向の電圧印加は、内燃機関の始動時に行なうこととすることもできる。この場合、停止時にリッチ運転継続時間又はリッチ量とリッチ運転継続時間との積算値（あるいは、リーン運転継続時間又はリーン量とリーン運転継続時間との積算値）をバックアップＲＡＭに記憶しておいて、始動時にこれを読み込むことで、図４のルーチン同様に制御を実行することができる。
【００６７】
また、実施の形態２では、前回の内燃機関の始動から今回内燃機関停止までの運転期間中に、リッチ運転（又はリーン運転）が行なわれた時間の積算値をリッチ（又はリーン）運転継続時間とし、これに応じて電圧印加時間を設定する場合について説明した。しかし、この発明において、電圧印加時間の設定は、これに限るものではない。例えば、内燃機関のある一定の運転期間を走行距離、酸素センサ２の使用時間等で規定し、この運転期間ごとに、リッチ運転（又はリーン運転）が行なわれた時間を積算し、これに応じて電圧印加時間を設定するものであってもよい。
【００６８】
また、実施の形態２では、停止時（又は始動時）に毎回、リーン感度向上又はリッチ感度抑制の処理を行なう場合について説明した。しかし、この発明はこれに限るものではない。例えば、ある規定された運転期間の間に、ある程度長い所定の時間、継続してリッチ運転（又はリーン運転）が行なわれた場合を検出し、この場合にのみ、リーン感度向上（リッチ感度抑制）の処理を行なうこととすることもできる。また更に、この場合に、そのリッチ（又はリーン）運転の継続時間に応じて、印加時間等を設定してもよい。
【００６９】
実施の形態３．
上述したように、酸素センサ２中の酸素イオンの移動しやすさ、電荷の偏りは、酸素センサ２の使用環境により異なり、実施の形態１における片方向の電圧印加による感度ばらつき抑制の効果は、使用環境により異なる。従って、実施の形態３では、実施の形態２の内燃機関停止時（又は始動時）の片方向の電圧印加に加え、更に、内燃機関の運転中に、運転状態に応じた感度ばらつき抑制のため処理を実行する。
【００７０】
具体的に、（イ）のリーン感度向上のための効果は、排気ガスの空燃比がリッチ側に濃くなる環境下では緩和する傾向にある。従って、（イ）の初期処理が施された酸素センサ２が用いられる場合、内燃機関の運転が、高速、高負荷運転条件下、かつ、リッチ増量運転域となったときに、酸素センサ２の使用環境下で、更に、リーン感度向上のための片方向の電圧印加を行なう。
【００７１】
これらの場合の電圧印加についても、上記（ハ）〜（へ）の条件を満たすものとされる。これにより、電圧印加による初期状態からのセンサ構造変化や、特性変化を防ぐ。更に、印加される電圧の大きさは、（イ）の初期処理において印加される電圧よりも小さなものとする。これらの場合に印加される具体的な電圧、印加時間は、予め実験等により適正に設定され、制御装置に記憶される。
【００７２】
具体的な制御では、内燃機関の運転中において、高速、高負荷運転条件下、かつリッチ増量運転域であることを示す所定の条件を満たされると、大気極６をプラス、排気極８をマイナスとして、制御装置に記憶された印加時間、所定の大きさの電圧が印加される。
【００７３】
以上説明したように、実施の形態３における制御によれば、（イ）のリーン感度向上の処理が施された酸素センサ２が用いられる場合に、その運転状態に応じて、更に、リーン感度向上のための処理が実行される。従って、異なる運転環境においても、酸素センサ２の感度ばらつき抑制のための処理の効果を維持することができる。
【００７４】
［実施の形態３の他の例］
なお、実施の形態３では、上記（イ）の初期処理が施され酸素センサ２を用いる場合の、使用中の制御について説明したが、上記（ロ）の初期処理が施された酸素センサ２についても、同様にして、初期処理のリッチ感度抑制の効果維持を図ることができる。
【００７５】
つまり、排気ガス空燃比がリーン側に濃くなる環境下では、（ロ）の初期処理、即ち、酸素センサ２のリッチ感度抑制のための処理の効果が緩和する傾向にある。従って、（ロ）の初期処理が施された酸素センサ２が用いられる場合、内燃機関の運転が、燃料カット運転域となった場合に、（ロ）の処理と同様のリッチ感度抑制のための片方向の電圧印加を実行する。
【００７６】
即ち、内燃機関の運転中において、燃料カット運転であることを示す所定の条件が満たされると、大気極６をマイナス、排気極８をプラスとして、所定の印加時間、所定の大きさの電圧が印加される。なお、ここでも、電圧印加は（ハ）〜（ト）の条件が満たされる。更に、この制御で印加される電圧の大きさは、（ロ）の初期処理において印加される電圧よりも小さなものとする。
【００７７】
なお、実施の形態３における制御では、予め定められた時間、所定の大きさの電圧を一度印加する場合について説明した。しかし、電圧印加の方法は、これに限られるものではなく、例えば断続的に、一方向の電圧を印加するものであってもよい。すなわち、例えば0.5秒の電圧印加の後、0.5秒電圧印加を停止するというように、電圧印加と印加停止との処理を、所定回数繰り返し行なうこととしてもよい。
【００７８】
また、実施の形態３における制御では、内燃機関の運転条件が所定の条件を満たす場合に、片方向の電圧印加のみを実行する場合について説明した。しかし、この発明はこれに限るものではなく、片方向の電圧印加に先立って、実施の形態１において説明した交番電圧の印加を行なうものであってもよい。
【００７９】
実施の形態４．
実施の形態４では、酸素センサ２の経年劣化等に応じた電圧印加を行なう。酸素センサ２は、経年劣化、熱劣化等により素子抵抗が増加する。その結果、同じように電圧印加を行なっても、酸素センサ２の電極６、８間に流れる電流量は次第に低下する。従って、上記実施の形態２〜３の制御を同じ電圧値、電圧印加時間で行なう場合、その効果が次第に低下することが考えられる。
【００８０】
これに対し、実施の形態４のシステムでは、まず、素子抵抗の変化を検出する。素子抵抗は、センサ素子温制御時の平均ヒータ電力量から推定することができる。この素子抵抗が大きくなるに従い、交番電圧印加における電圧及び印加時間、更に、感度ばらつき抑制処理において印加される電圧及び印加時間が大きくなるように設定する。但し、この場合にも、実施の形態１で説明した（ハ）〜（へ）の条件を満たすこととする。
【００８１】
このような素子抵抗と印加電圧、印加時間との最適な関係は、酸素センサ２ごとに、あらかじめ実験等により求められる。この関係は、制御装置にマップとして記憶される。具体的な制御においては、素子抵抗を推定し、このマップに従って、素子抵抗に応じた印加電圧又は印加時間が決定される。
【００８２】
以上説明したように、実施の形態４の制御によれば、経年劣化等により素子抵抗が大きくなる場合にも、印加時間や印加電圧を大きくすることで、感度ばらつき抑制処理により、リーン感度向上させ、あるいはリッチ感度を抑制する効果を得ることができる。
【００８３】
なお、以上の実施の形態において各要素の個数、数量、量、範囲等の数に言及した場合、特に明示した場合や原理的に明らかにその数に特定される場合を除いて、その言及した数に、この発明が限定されるものではない。また、この実施の形態において説明する構造やステップ等は、特に明示した場合や明らかに原理的にそれに特定される場合を除いて、この発明に必ずしも必須のものではない。
【符号の説明】
【００８４】
２  酸素センサ
４  固体電解質膜
６  大気極
８  排気極
【図１】
2012086079.tif 000003
【図２】
2012086079.tif 000004
【図３】
2012086079.tif 000005
【図４】
2012086079.tif 000006
【手続補正書】
【提出日】平成25年6月13日(2013.6.13)
【手続補正１】
【補正対象書類名】特許請求の範囲
【補正対象項目名】全文
【補正方法】変更
【補正の内容】
【特許請求の範囲】
【請求項１】
内燃機関の排気経路に配置される起電力式の酸素センサを制御する制御装置であって、
前記酸素センサは、
固体電解質と、
前記固体電解質の一面側に配置され、かつ、前記排気経路に設置された場合に大気に接する大気極と、
前記固体電解質の前記一面とは反対側の面に配置され、かつ、前記排気経路に設置された場合に排気ガスに接する排気極と、を備え、
前記大気極と前記排気極との間に、前記大気極をプラスとし前記排気極をマイナスとする電圧を印加する活性化処理が施され、
前記制御装置は、
前記内燃機関の所定の運転期間中において、空燃比が、理論空燃比に対してリッチとされていた時間であるリッチ運転継続時間を検出するリッチ運転継続時間検出手段と、
前記リッチ運転継続時間に応じて、電圧印加時間を設定する電圧印加時間設定手段と、
前記電圧印加時間に応じて、前記大気極と前記排気極との間に、前記大気極をプラスとし、前記排気極をマイナスとする一方向の電圧を印加する電圧印加制御手段と、
を備えることを特徴とする酸素センサの制御装置。
【請求項２】
内燃機関の排気経路に配置される起電力式の酸素センサを制御する制御装置であって、
前記酸素センサは、
固体電解質と、
前記固体電解質の一面側に配置され、かつ、前記排気経路に設置された場合に大気に接する大気極と、
前記固体電解質の前記一面とは反対側の面に配置され、かつ、前記排気経路に設置された場合に排気ガスに接する排気極と、を備え、
前記大気極と前記排気極との間に、前記大気極をマイナスとし前記排気極をプラスとする電圧を印加する活性化処理が施され、
前記制御装置は、
前記内燃機関の所定の運転期間中において、空燃比が、理論空燃比に対してリーンとされていた時間であるリーン運転継続時間を検出するリーン運転継続時間検出手段と、
前記リーン運転継続時間に応じて、電圧印加時間を設定する電圧印加時間設定手段と、
前記電圧印加時間に応じて、前記大気極と前記排気極との間に、前記大気極をマイナスとし、前記排気極をプラスとする一方向の電圧を印加する電圧印加制御手段と、
を備えることを特徴とする酸素センサの制御装置。
【請求項３】
内燃機関の排気経路に配置される起電力式の酸素センサを制御する制御装置であって、
前記酸素センサは、
固体電解質と、
前記固体電解質の一面側に配置され、かつ、前記排気経路に設置された場合に大気に接する大気極と、
前記固体電解質の前記一面とは反対側の面に配置され、かつ、前記排気経路に設置された場合に排気ガスに接する排気極と、を備え、
前記大気極と前記排気極との間に、前記大気極をマイナスとし前記排気極をプラスとする電圧を印加する活性化処理が施され、
前記制御装置は、
前記酸素センサが配置された内燃機関の運転状態が、燃料カット運転状態であることを検出する燃料カット運転検出手段と、
前記燃料カット運転状態であることが検出された場合に、前記大気極と前記排気極との間に、前記大気極をマイナスとし、前記排気極をプラスとする一方向の電圧を印加する電圧印加制御手段と、
を備えることを特徴とする酸素センサの制御装置。
【請求項４】
内燃機関の排気経路に配置される起電力式の酸素センサを制御する制御装置であって、
前記酸素センサは、
固体電解質と、
前記固体電解質の一面側に配置され、かつ、前記排気経路に設置された場合に大気に接する大気極と、
前記固体電解質の前記一面とは反対側の面に配置され、かつ、前記排気経路に設置された場合に排気ガスに接する排気極と、を備え、
前記大気極と前記排気極との間に、前記大気極をプラスとし前記排気極をマイナスとする電圧を印加する活性化処理が施され、
前記制御装置は、
前記内燃機関の運転状態が、所定の高速・高負荷運転域であり、かつ、空燃比がリッチ増量域である、リッチ運転状態を検出するリッチ運転状態検出手段と、
前記リッチ運転状態が検出された場合に、前記大気極と前記排気極との間に、前記大気極をプラスとし、前記排気極をマイナスとする一方向の電圧を印加する電圧印加制御手段と、
を備えることを特徴とする酸素センサの制御装置。
【請求項５】
前記一方向の電圧は、前記固体電解質がブラックニングを起こさない範囲の電圧とされることを特徴とする請求項１から４のいずれか１項記載の酸素センサの制御装置。
【請求項６】
前記酸素センサの素子抵抗を検出又は推定する素子抵抗検出手段を、更に備え、
前記電圧印加制御手段は、
前記素子抵抗に応じて、前記一方向の電圧の大きさ又は前記一方向の電圧の印加時間を制御することを特徴とする請求項１から５のいずれか１項記載の酸素センサの制御装置。
【手続補正２】
【補正対象書類名】明細書
【補正対象項目名】００４７
【補正方法】変更
【補正の内容】
【００４７】
なお、上述の実施の形態１では、交番電圧印加の後に、リーン感度向上又はリッチ感度抑制のための片方向の通電を行なう場合について説明した。これにより、酸素センサ２の特性のより長期的な安定性向上、及び、長期的なばらつきの低減を図ることができる。しかし、この発明において酸素センサはこれに限られるものではなく、交番電圧の印加を行なわずに、片方向の通電のみを行なったものでもよい。
【手続補正３】
【補正対象書類名】明細書
【補正対象項目名】００６３
【補正方法】変更
【補正の内容】
【００６３】
具体的な制御は、図４のルーチンのステップＳ１０６の電圧印加時間をリーン運転継続時間に応じたものとし、Ｓ１０８の電圧印加の方向を、大気極６側をマイナスとすることで、同様にして実行することができる。
【手続補正４】
【補正対象書類名】明細書
【補正対象項目名】００６４
【補正方法】変更
【補正の内容】
【００６４】
なお、実施の形態２では、リッチ運転継続時間又はリーン運転継続時間に応じて、片方向の電圧の印加時間を設定する場合について説明した。しかし、この発明はこれに限られるものではない。電圧印加時間は、例えば、運転期間中におけるリッチ量（又はリーン量）とリッチ運転継続時間（又はリーン運転継続時間）との積算値に応じて決定されるものであってもよい。
【手続補正５】
【補正対象書類名】明細書
【補正対象項目名】００７６
【補正方法】変更
【補正の内容】
【００７６】
即ち、内燃機関の運転中において、燃料カット運転であることを示す所定の条件が満たされると、大気極６をマイナス、排気極８をプラスとして、所定の印加時間、所定の大きさの電圧が印加される。なお、ここでも、電圧印加は（ハ）〜（へ）の条件が満たされる。更に、この制御で印加される電圧の大きさは、（ロ）の初期処理において印加される電圧よりも小さなものとする。
【国際調査報告】
2012086079.tif 000007
2012086079.tif 000008
2012086079.tif 000009
2012086079.tif 000010